(57)【要約】【課題】デコンプカム等可変カムを備えたシリンダヘッド構造において、部品点数、加工工数を減じ、さらに、給排気カム等の潤滑を良好にする車両用内燃機関のシリンダヘッド構造を提供すること。【解決手段】カム軸64を支持する一対のカムシャフトホルダ部80Ｌ、80Ｒ、カム軸に相対回転可能に支持された可変カム91、可変カムに係合して可変カムの回転を規制する係止部材100を備える車両用内燃機関のシリンダヘッド構造において、シリンダヘッド22に固定され、カムシャフトホルダ部同志を連結する補強部材89を備え、カムシャフトホルダ部は貫通孔102を備え、貫通孔に収容されその一端から突出して可変カムと係合するように付勢された係止部材が、貫通孔の他端を補強部材が塞ぐことで貫通孔内に保持されたことを特徴とする。【選択図】図４
2011043132.tif 000002
【特許請求の範囲】
【請求項１】
カム軸を支持する一対のカムシャフトホルダ部、前記カム軸に相対回転可能に支持された可変カム、同可変カムに係合して可変カムの回転を規制する係止部材を備える車両用内燃機関のシリンダヘッド構造において、
シリンダヘッドに固定され、前記カムシャフトホルダ部同志を連結する補強部材を備え、
前記カムシャフトホルダ部は貫通孔を備え、同貫通孔に収容されその一端から突出して前記可変カムと係合するように付勢された前記係止部材が、前記貫通孔の他端を前記補強部材が塞ぐことで同貫通孔内に保持されたことを特徴とする車両用内燃機関のシリンダヘッド構造。
【請求項２】
前記カムシャフトホルダ部は、前記カム軸の外周においてカム軸方向に延出して、前記可変カムとその半径方向で対峙する延出部を備え、
前記貫通孔は、同延出部において前記カム軸方向に垂直に形成されたことを特徴とする請求項１記載の車両用内燃機関のシリンダヘッド構造。
【請求項３】
前記シリンダヘッドは、前記車両用内燃機関が車両に搭載されたとき、シリンダ軸線が略水平に、前記カム軸が車幅方向に配向し、同カム軸の下方に吸気バルブまたは排気バルブとロッカーアームとの当接部が位置するように配置され、
前記補強部材は、付着した潤滑油が前記当接部に滴下供給されるように、下辺が湾曲されたことを特徴とする請求項１または請求項２記載の車両用内燃機関のシリンダヘッド構造。
【請求項４】
前記可変カムは、排気カムに隣接して配置されたデコンプカムであり、前記排気カムとデコンプカムとの間にオイル溜りを形成したことを特徴とする請求項１ないし請求項３いずれか記載の車両用内燃機関のシリンダヘッド構造。
【請求項５】
前記オイル溜りは、前記カム軸に形成された、前記排気カムの外径と前記デコンプカムの外径よりも小径な部分であることを特徴とする請求項４記載の車両用内燃機関のシリンダヘッド構造。
【請求項６】
前記補強部材は、環状のプレート部材であり、
前記シリンダヘッドとシリンダブロックとを締結し、同シリンダヘッドに前記補強部材を固定する締結ボルトは、複数本からなり、前記補強部材と前記シリンダヘッドと前記シリンダブロックとを共締めすることを特徴とする請求項１ないし請求項５いずれか記載の車両用内燃機関のシリンダヘッド構造。
【発明の詳細な説明】
【技術分野】
【０００１】
本発明は、自動二輪車等の車両用単気筒４ストロークサイクル内燃機関のシリンダヘッド構造に関する。
【背景技術】
【０００２】
自動二輪車等の車両用単気筒４ストロークサイクル内燃機関のシリンダヘッドにデコンプレッション装置（以下、「デコンプ装置」という）を備えたものにおいて、デコンプレッションカム（以下、「デコンプカム」という）のストッパ機構となる係止部材を、シリンダヘッドのカムシャフトホルダ部に埋め込み、ボルトで抜け止めした構造が、例えば、特許文献１に示されている。
【０００３】
しかしながら、特許文献１に示されるようなシリンダヘッド構造の場合、係止部材の抜け止めのためのボルト等、専用部品が必要となり、また、カムシャフトホルダ部に雌ねじ加工が必要となって、加工工数が増大する、という問題があった。
【先行技術文献】
【特許文献】
【０００４】
【特許文献１】特許４２６０８４１号公報（図４）
【発明の概要】
【発明が解決しようとする課題】
【０００５】
本発明は、デコンプカム等可変カムを備えたシリンダヘッド構造において、部品点数、加工工数を減じ、さらに、給排気カム等の潤滑を良好にする車両用内燃機関のシリンダヘッド構造を提供することを課題とする。
【課題を解決するための手段】
【０００６】
上記の目的を達成するために、請求項１に記載の発明は、カム軸を支持する一対のカムシャフトホルダ部、前記カム軸に相対回転可能に支持された可変カム、同可変カムに係合して可変カムの回転を規制する係止部材を備える車両用内燃機関のシリンダヘッド構造において、シリンダヘッドに固定され、前記カムシャフトホルダ部同志を連結する補強部材を備え、前記カムシャフトホルダ部は貫通孔を備え、同貫通孔に収容されその一端から突出して前記可変カムと係合するように付勢された前記係止部材が、前記貫通孔の他端を前記補強部材が塞ぐことで同貫通孔内に保持されたことを特徴とする。
【０００７】
請求項２に記載の発明は、請求項１に記載の車両用内燃機関のシリンダヘッド構造において前記カムシャフトホルダ部は、前記カム軸の外周においてカム軸方向に延出して、前記可変カムとその半径方向で対峙する延出部を備え、前記貫通孔は、同延出部において前記カム軸方向に垂直に形成されたことを特徴とする。
【０００８】
請求項３に記載の発明は、請求項１または請求項２に記載の車両用内燃機関のシリンダヘッド構造において、前記シリンダヘッドは、前記車両用内燃機関が車両に搭載されたとき、シリンダ軸線が略水平に、前記カム軸が車幅方向に配向し、同カム軸の下方に吸気バルブまたは排気バルブとロッカーアームとの当接部が位置するように配置され、前記補強部材は、付着した潤滑油が前記当接部に滴下供給されるように、下辺が湾曲されたことを特徴とする。
【０００９】
請求項４に記載の発明は、請求項１ないし請求項３のいずれかに記載の車両用内燃機関のシリンダヘッド構造において、前記可変カムは、排気カムに隣接して配置されたデコンプカムであり、前記排気カムとデコンプカムとの間にオイル溜りを形成したことを特徴とする。
【００１０】
請求項５に記載の発明は、請求項４に記載の車両用内燃機関のシリンダヘッド構造において、前記オイル溜りは、前記カム軸に形成された、前記排気カムの外径と前記デコンプカムの外径よりも小径な部分であることを特徴とする。
【００１１】
請求項６に記載の発明は、請求項１ないし請求項５のいずれかに記載の車両用内燃機関のシリンダヘッド構造において、前記補強部材は、環状のプレート部材であり、前記シリンダヘッドとシリンダブロックとを締結し、同シリンダヘッドに前記補強部材を固定する締結ボルトは、複数本からなり、前記補強部材と前記シリンダヘッドと前記シリンダブロックとを共締めすることを特徴とする。
【発明の効果】
【００１２】
請求項１の発明の車両用内燃機関のシリンダヘッド構造によれば、補強部材が係止部材の抜け止めを兼ねるため、抜け止めボルトとその螺合のための雌ねじ加工が不要となり、部品点数と加工工数が低減する。
【００１３】
請求項２の発明によれば、請求項１の発明の効果に加え、係止部材収容部となる貫通孔を、カムシャフトホルダ部にカム軸方向に延出する延出部を備えたうえで一体に設けるので、カムシャフトホルダ部の強度を高くすることができる。
【００１４】
請求項３の発明によれば、請求項１または請求項２の発明の効果に加え、簡易な構造で吸気バルブまたは排気バルブとロッカーアームとの当接部の潤滑を良好に行える。
【００１５】
請求項４の発明によれば、デコンプカム装置の構造において請求項１ないし請求項３のいずれかの発明の効果を奏するとともに、デコンプカムの潤滑も簡易な構成で良好に行える。
【００１６】
請求項５の発明によれば、請求項４の発明の効果に加えて、カム軸の軽量化を図りつつ、簡易な構成でオイル溜りを形成できる。
【００１７】
請求項６の発明によれば、請求項１ないし請求項５のいずれかの発明の効果に加えて、環状の補強部材を、複数本の締結ボルトに対応するワッシャとして用いることで、部品点数をさらに低減し、締結ボルトの組付け性を良好にできる。
【図面の簡単な説明】
【００１８】
【図１】本発明の一実施形態に係る車両用内燃機関のシリンダヘッド構造を備えたパワーユニットを搭載した自動二輪車の左側面図である。
【図２】本実施形態に係るパワーユニットの左側面断面図である。
【図３】図２のＩＩＩ−ＩＩＩ断面展開図である。
【図４】図３のシリンダヘッド近傍の拡大図である。
【図５】（ａ）は、図４中の、カム軸とデコンプカムおよびカム軸受の軸線に沿う断面図であり、（ｂ）は、（ａ）中Ｖ−Ｖ矢視によるデコンプカムの正面図である。
【図６】図４中、ＶＩ−ＶＩ矢視による、シリンダヘッド近傍頂面断面図である。
【図７】（ａ）は、図４中ＶＩＩ−ＶＩＩ矢視によるシリンダヘッド近傍右側面断面図であり、（ｂ）は、（ａ）中、係止部材近傍の拡大図である。
【図８】本実施形態に係るデコンプ装置の模式的な作用説明図である。
【図９】本実施形態に係るデコンプ装置の模式的な作用説明図である。
【図１０】本実施形態に係るデコンプ装置の模式的な作用説明図である。
【図１１】本実施形態に係るデコンプ装置の模式的な作用説明図である。
【図１２】本実施形態に係るデコンプ装置の模式的な作用説明図である。
【発明を実施するための形態】
【００１９】
図１から図１２に基づき、本発明の一実施形態に係る車両用内燃機関のシリンダヘッド構造につき説明する。なお、以下の説明における前後左右上下等の向きは、本実施形態の車両用内燃機関のシリンダヘッド構造を備えたパワーユニットを、自動二輪車等車両に搭載した状態での車両の向きに従うものとする。また、特に別記ない場合は、図中矢印ＦＲは車両前方を、ＬＨは車両左方を、ＲＨは車両右方を、ＵＰは車両上方を、ＤＮは車両下方を、それぞれ示す。
【００２０】
図１は、本発明の実施形態に係る自動二輪車１の左側面を示す。この自動二輪車１の車体フレーム２は、車体前部のヘッドパイプ３から後方へ斜め下向きに傾斜して１本のメインフレーム４が延出し、同メインフレーム４の後部に左右一対のピボットブラケット５、５が下方に延出して固着されている。メインフレーム４の後部でピボットブラケット５、５の固着位置付近から左右一対のシートレール６、６が後方へ斜め上向きに延出し途中で屈曲して後端に至っている。このシートレール６、６の中央部とピボットブラケット５、５との間にミドルフレーム７、７が介装されている。
【００２１】
上記の車体フレーム２の左右一対のシートレール６、６間に収納ボックス８や図示しない燃料タンク等が架設され、収納ボックス８等の上方をシート９が開閉自在に覆っている。車体前部下方にヘッドパイプ３に軸支されたフロントフォーク10が延び、その下端に前輪11が軸支され、フロントフォーク10の上方には、操向ハンドル12が設けられている。車体中央のピボットブラケット５、５に設けられたピボット軸13により、リヤフォーク14が前端を軸支されて後方に延び、その後端部に後輪15が軸支されている。ピボット軸13を中心に上下に揺動するリヤフォーク14の後部とシートレール６、６との間にリヤクッション16、16が介装されている。
【００２２】
メインフレーム４の下方でかつピボットブラケット５、５の前方にパワーユニット17が搭載されている。パワーユニット17はメインフレーム４に設けられた支持ブラケット29に支軸30を介して吊設されると共に、ピボットブラケット５、５の上部と下部で支軸31によって支持されている。車体フレーム２は、各部に分割された合成樹脂製のカバー部材32によって覆われている。150は、サイドスタンドである。
【００２３】
パワーユニット17は前部の内燃機関18と後部の動力伝達装置19から構成されている。内燃機関18は、単気筒の４ストロークサイクル内燃機関で、自動二輪車１に搭載された状態で、クランク軸35（図２、３参照）は車幅方向に配向し、パワーユニットケース（クランクケースを兼ねる）20の前面から、シリンダ部210を構成するシリンダブロック21、シリンダヘッド22およびシリンダヘッドカバー23が重ねられて、略水平に近い状態にまで大きく前傾した姿勢で突出して取り付けられている。シリンダヘッド22の上方に延出した吸気管24にスロットルボディ25とエアクリーナ26が接続されている。また、シリンダヘッド22の下方に延出し後方へ屈曲した排気管27は、後方へ延びて後輪15の右側のマフラー28に接続されている。
【００２４】
図２にパワーユニット17の左側面断面を示すように、パワーユニット17のシリンダ部210は、その軸線Ｘ（シリンダ軸線）を地面に対して略水平（詳細にはやや前上がり）にしてパワーユニットケース20前端部から前方（車両進行方向）に突出している。シリンダヘッド22、シリンダブロック21は、これらを車両前方から貫通する複数の締結ボルト60によりパワーユニットケース20に一体的に結合され（図６、７参照）、シリンダヘッドカバー23は、車両前方から挿通されるボルト61（図７参照）によりシリンダヘッド22に固定される。
【００２５】
以下、シリンダ部210における前記軸線Ｘと平行な前後方向をシリンダ前、後方向、前記軸線Ｘと直交する上、下方向をシリンダ上、下方向ということがある。
【００２６】
動力伝達装置19の殻体については図３に関して後述するが、パワーユニットケース20は左右割りの、左パワーユニットケース20Ｌと右パワーユニットケース20Ｒとを備えており、図３に示すように、左パワーユニットケース20Ｌと右パワーユニットケース20Ｒとを合わせ面Ｙで一体化結合することで、パワーユニット17が構成される。図２に図示されている動力伝達装置19の外殻は、右パワーユニットケース20Ｒの左側面である。動力伝達装置19はＶベルト式無段変速機33と減速歯車機構34から構成されている。
【００２７】
パワーユニット17には、モータ始動機構47とキック始動機構51が具備されている。モータ始動機構47は、スタータモータ48の駆動ピニオン48ａ、モータ始動機構中間軸49、同中間軸49に設けられた大小のギヤ、及びクランク軸35の左側部分35Ｌ（図３も参照）に設けられたモータ始動機構従動ギヤ50によって構成されている。モータ始動機構47は減速機構である。なお、スタータモータ48は、図示のようにクランク軸35の中心を通る鉛直線Ｃより前方に配置されている。
【００２８】
キック始動機構51は、キック軸52、キックアーム52ａ、キックペダル52ｂ（図１）、第１中間軸53ａ、第２中間軸53ｂ、これらの軸に設けられた歯車群、及びクランク軸35の右部に設けられたキック始動機構従動ギヤ54、などから構成される。キック始動機構51は増速機構である。なお、キック軸52は、クランク軸35と出力軸43との間であって、これら２軸より下方に配置されている。
【００２９】
図３に示すように、シリンダブロック21は、その内部に前記シリンダ軸線Ｘに沿うシリンダボア55が形成され、該シリンダボア55内にピストン56が往復動可能に嵌装される。ピストン56には、左右方向に沿うピストンピン57を介してコンロッド59の小端部が揺動自在に連結され、コンロッド59の大端部は左右方向に沿うクランクピン58を介してクランク軸35に回転自在に連結される。クランク軸35は、パワーユニット17の正常運転時において、ピストン56の往復動に伴い左側面を示す図２において反時計回りに回転する（右側面視では時計回りに回転する。）。
【００３０】
クランク軸35の右端部にはＶベルト式無段変速機33の駆動プーリ軸36が同軸配置され、Ｖベルト式無段変速機33の従動プーリ軸37はパワーユニットケース20の後部に設けられている。上記駆動プーリ軸36に設けられた駆動プーリ38と、従動プーリ軸37に設けられた従動プーリ39に、Ｖベルト40が掛け回され、Ｖベルト式無段変速機33が構成されている。33ａは変速機ケース、33ｂは変速機カバーである。クランク軸35の左方延長部35Ｌには、交流発電機68が設けられる。68ａは発電機カバーである。69は点火プラグである。
【００３１】
上記Ｖベルト式無段変速機33の従動プーリ軸37の左側部分37Ｌに従動プーリ39と同軸配置で、ほぼ同径の湿式遠心クラッチ41が設けられており、さらにこの従動プーリ軸37の左側部分37Ｌは減速歯車機構34の入力軸となっている。減速歯車機構34の回転軸は、従動プーリ軸37の左側部分37Ｌ、減速歯車機構中間軸42、及び出力軸43を備え、これらの軸に設けられた歯車群によって減速歯車機構34が構成されている。出力軸43は左パワーユニットケース20Ｌの後部から左方に突出している。パワーユニット17の回転駆動力は上記出力軸43を介して出力される。図１に示されるように、上記出力軸43に嵌着された後輪駆動スプロケット44と後輪15に一体に設けられた後輪従動スプロケット45との間に動力伝達チェーン46が架渡され、パワーユニット17の回転駆動力が後輪15に伝達される。44ａは、パワーユニットケース20の左側面を、発電機カバー68ａより後方、後輪駆動スプロケット44まで覆う後部カバーである。
【００３２】
図２に示されるように、シリンダヘッド22は、シリンダボア55の前端開口を閉塞してピストン56と共に所謂ペントルーフ型の燃焼室66を形成する。本実施形態における内燃機関18はＯＨＣ２バルブであり、燃焼室66のルーフ形成部における二つの傾斜上面67にはそれぞれ吸気ポート70及び排気ポート71の燃焼室側開口が一つずつ形成され、各燃焼室側開口がそれぞれ吸気バルブ72及び排気バルブ73により開閉される。
【００３３】
各ポート70、71は、燃焼室66とシリンダヘッド22上部の吸気管取り付け部62、シリンダヘッド22下部の排気管取り付け部63とを連通する流通路であり、燃焼室66側開口から前記傾斜上面67と略直交するようにシリンダ前方向に斜めに延びた後、シリンダ上方向、下方向に湾曲して吸気管取り付け部62、排気管取り付け部63に至る。吸気管取り付け部62、排気管取り付け部63は、シリンダ上下方向と略直交する平面を形成し、同各平面に吸気管24、排気管27が締結される（図１参照）。
【００３４】
各バルブ72、73のステム74、75は、傾斜上面66、67と略直交するように側面視Ｖ字状をなして斜めシリンダ前方向に延び、これらが吸排気ポート70、71の内壁を貫通した後に、その先端部にそれぞれリテーナ76（図８に排気バルブ73側のみ示す。図８は、図７と同方向の右側面断面において、デコンプ装置を模式的に示す。）が嵌合装着され、該各リテーナ76を介して対応するバルブスプリング77（図８に排気バルブ73側のみ示す）のバネ力が各バルブ72、73に入力されることで、これらが各ポート70、71の燃焼室側開口を閉塞する側に付勢される。
【００３５】
各バルブ72、73のステム74、75間には、クランク軸35と平行をなし、車幅方向に配向した単一のカム軸64が配置される。図３、４に示すように、カム軸64は、その長手方向中間部に吸気カム64ａ及び排気カム64ｂを一体に備え、かつ両端部が左側の吸気カム側ベアリング65Ｌ、右側の排気カム側ベアリング65Ｒを介して、シリンダヘッド22の左右一対の左側カムシャフトホルダ部80Ｌ、右側カムシャフトホルダ部80Ｒに回転自在に支持される。カム軸64の左端部にはカムチェーン従動スプロケット81が同軸固定され、カムチェーン従動スプロケット81とクランク軸35の左端部に同軸固定されたカムチェーン駆動スプロケット82とに無端状のカムチェーン83が巻き掛けられる。これにより、カム軸64がクランク軸35と連係してその１／２の回転数で同一方向に回転する。
【００３６】
カム軸64と各バルブ72、73のステム74、75の先端部との間には、カム軸64と平行をなす吸気側、排気側ロッカーシャフト84、85がそれぞれ配置される（図２、図７、図８参照）。各ロッカーシャフト84、85は、それぞれ両カムシャフトホルダ部80Ｌ、80Ｒに支持される。各ロッカーシャフト84、85には、それぞれ吸気側、排気側ロッカーアーム86、87の中間部が揺動自在に支持される。各ロッカーアーム86、87のカム軸64側の端部にはそれぞれ、吸気カム64ａ、排気カム64ｂの外周面に当接するカムローラ87ａ（図８に排気バルブ73側のみ示す）が回転自在に支持される。一方、各ロッカーアーム86、87の他端部にはそれぞれ、タペットボルト87ｂ（図８に排気バルブ73側のみ示す）が螺着されてロックナットにより一体的に固定される。
【００３７】
各ロッカーアーム86、87は、それぞれタペットボルト87ｂを介して各バルブ72、73のステム74、75先端部に当接し、カム軸64が回転した際には、各カム64ａ、64ｂの外周パターンに応じて揺動する。これにより、各ロッカーアーム86、87と各バルブ72、73のステム74、75先端部との当接部74ａ、75ａが揺動して、対応するバルブ72、73がそのステム74、75に従って往復動して各ポート70、71の燃焼室側開口を開閉させる。各バルブ72、73のステム74、75、各ロッカーアーム86、87、及びカム軸64等はシリンダヘッド22の前部内側に支持されており、これらがシリンダヘッド22前部及びこれを閉塞するカップ状のシリンダヘッドカバー23で形成された動弁室88内に収容される。
【００３８】
左右一対の左側カムシャフトホルダ部80Ｌと右側カムシャフトホルダ部80Ｒは、シリンダヘッド22ｂに一体に形成されているが、カム軸64、各ロッカーシャフト84、85から受ける負荷、撓みに抗するために、図４、６、７に示されるように、両カムシャフトホルダ部80Ｌ、80Ｒの前端面（頂面）を連結する補強部材89が取り付けられている。
【００３９】
補強部材89は、シリンダヘッド22とシリンダブロック21とをパワーユニットケース20に締結する締結ボルトに60より、同シリンダヘッド22の両カムシャフトホルダ部80Ｌ、80Ｒに固定される環状のプレート部材であり、締結ボルト60は、複数本からなり、補強部材89とシリンダヘッド2とシリンダブロック21とを共締めする。
したがって、環状で一体の補強部材89は、締結ボルト60のためのワッシャとしても機能し、複数本の締結ボルト60の対するワッシャの部品点数が低減し、締結ボルト60の組付け性が良好になる。
【００４０】
また、本実施形態のシリンダ部210は、図２に基づき説明したように、その軸線Ｘを地面に対して略水平にしてパワーユニットケース20前端部から前方（車両進行方向）に突出しており、シリンダヘッド22、シリンダブロック21、補強部材89は、これらを車両前方から貫通する複数の締結ボルト60により共締めされ、パワーユニットケース20に一体的に結合さている。したがって、補強部材89は、略シリンダ上下方向に配向して取り付けられる。そして、カム軸64は、クランク軸35と平行で、車体幅方向に水平に配向し、そのシリンダ上方向に吸気バルブ72のステム74と吸気側ロッカーアーム86との当接部74ａ、そのシリンダ下方向に排気バルブ73のステム75と排気側ロッカーアーム87との当接部75ａが位置する。
【００４１】
そのようなシリンダヘッド構造において、図２に示すように、吸気バルブ72と吸気側ロッカーアーム86との当接部74ａのシリンダ上方向には、シリンダヘッドカバー23に、図示しない潤滑油供給機構に連通し、動弁室88に潤滑油ａを供給する潤滑油供給孔78が設けられている。潤滑油供給孔78から供給された潤滑油ａは、シリンダ下方向の、吸気バルブ72と吸気側ロッカーアーム86との当接部74ａ上に滴下し、同当接部74ａを潤滑するとともに、同当接部74ａの運動に伴い、一部はそのシリンダ下方向のカム軸64に滴下供給され、カム軸64および吸気カム64ａ、排気カム64ｂを潤滑する。また、ある一部は補強部材89を伝いシリンダ下方向に流下し、そのシリンダ下方向の排気バルブ73と排気側ロッカーアーム87との当接部75ａに滴下供給され、同当接部75ａを潤滑する。
【００４２】
そのために、環状の補強部材89は、図６に示されるように、シリンダ下方向となる排気バルブ73と排気側ロッカーアーム87との当接部75ａ側の下辺89ａがシリンダ下方向（図示、上方向）に湾曲して形成されている。同湾曲部に従い潤滑油ａの滴下が的確になされるため、簡易な構造で排気バルブ73と排気側ロッカーアーム87との当接部75ａの潤滑が良好に行える。
なお、本実施形態と、吸気側、排気側の配置がシリンダ上下方向で逆の場合は、同様に、吸気バルブ72と吸気側ロッカーアーム86との当接部74ａの潤滑が良好に行える。
【００４３】
図５に示すように、カム軸64の右端部には、ワンウェイクラッチ（一方向クラッチ）90備えたデコンプカム91が相対回転可能に支持される。図５（ａ）中Ｖ−Ｖ矢視によるデコンプカム91の正面図を示す図５（ｂ）において、カム軸64が時計回りに回転（正転、矢印Ｎ方向の回転。Ｎ方向は、内燃機関18の正常運転状態におけるカム軸64の回転方向）した場合には、ワンウェイクラッチ90の作用によりカム軸64の正転トルクがデコンプカム91に殆ど伝達されず、カム軸64が図５（ｂ）において反時計回りに回転（逆転、矢印Ｒ方向の回転）した場合には、カム軸64の逆転トルクが伝達される。図４に示すように、デコンプカム91は、排気側ロッカーアーム87のカムローラ87ａ支持部の外側（右側）に隣接配置される。排気側ロッカーアーム87のカムローラ87ａ支持部の外側には、デコンプカム91の外周面に当接し得るカム当接部87ｃが形成されている。
【００４４】
デコンプカム91における正面視（図５（ｂ））で略円形状をなす外周部91ａには、その一部を平坦状に切り欠いてなる切り欠き部92が形成されると共に、同切り欠き部92の正転方向リーディング側に隣接してカム山部93が形成され、かつ切り欠き部92の正転方向トレイリング側の略中央に隣接して係止突部94が形成される。カム山部93は、デコンプカム91の外周部に所定範囲に渡り略一定高さに形成されるもので、排気側ロッカーアーム87のカム当接部87ｃに当接した状態において排気側ロッカーアーム87を所定量揺動させる（図９参照）。また、係止突部94は、切り欠き部92が排気側ロッカーアーム87のカム当接部87ｃに接した状態（図８参照）において後述の係止部材100に係合し得るものである。切り欠き部92の正転方向トレイリング側に離間してカム山部93に至らない範囲で部材軽量化のために第２の切り欠き部95を設けてもよい。
【００４５】
また、図５に示すように、排気カム87に隣接してデコンプカム91が配置されているが、排気カム64ｂとデコンプカム91との間のカム軸64に、排気カム64ｂの外径およびデコンプカム91の外径よりも小径な小径部分64ｃが形成されている。このため、図２に関して上述したように、動弁室88に供給され、カム軸64に付着した潤滑油ａは、排気カム64ｂとデコンプカム91に挟まれた小径部分64ｃに滞留して、小径部分64ｃはオイル溜り79を形成する。
したがって、排気カム64ｂとデコンプカム91との間にオイル溜り79が形成されたので、デコンプカム91の潤滑が良好に行え、また、小径部分64ｃを形成することによってオイル溜り79を形成するので、カム軸64の軽量化を図りつつ、簡易な構造でオイル溜り79を形成できる。
【００４６】
図４、図７に示すように、右側カムシャフトホルダ部80Ｒは、カム軸64の外周においてカム軸方向Ｚに延出し、デコンプカム91の前方（図示、上方）に位置し、デコンプカム91とその半径方向で対峙するするオーバハング部（本発明における「延出部」）101（図４）を備えている。オーバハング部101には、シリンダ軸線Ｘ方向に沿って、カム軸方向Ｚに垂直に交差して貫通する貫通孔102が形成される。貫通孔102には、その一端（後端、図示下方端）からデコンプカム91側に向けて図示下方へ突出する係止部材100が、往復動可能に挿入されて収容される。なお、係止部材100は、貫通孔102内の段部102ａにより、突出範囲を係止突部94およびその傾斜面94ａ以外デコンプカム91に当接しない範囲に規制される。
【００４７】
図７に示すように、貫通孔102内には、係止部材の前方側（図示、上方側）に当接するようにコイルスプリング103が遊嵌されると共に、貫通孔102の他端（前端、図示上方端）は、右側カムシャフトホルダ部80Ｒの前端面（頂面。図示上端面）に螺着された補強部材89で塞がれている。そのため、コイルスプリング103は貫通孔102内に保持されてバネ力を発生させ、バネ力により係止部材100がデコンプカム91側に向けて付勢された状態で係止突部94に係合するべく図示下方に突出する。すなわち、貫通孔102は、コイルスプリング103、補強部材89とともに係止部材取り付け部を構成する。
【００４８】
係止部材100が突出した状態でデコンプカム91が正転Ｎした場合（図８における時計回り）には、係止部材100に係止突部94が係合し、デコンプカム91の正転Ｎを停止させる。また、係止突部94の正転Ｎ方向トレイリング側には傾斜面94ａが形成されており、デコンプカム91が逆転Ｒした場合（図８における反時計回り）には、係止突部94の傾斜面94ａに係止部材100が乗り上げてコイルスプリング103のバネ力に抗して貫通孔102内に押し込まれ、係止突部94が係止部材100を乗り越えてデコンプカム91の逆転を可能とする。
【００４９】
次に、以上説明したパワーユニット17の内燃機関18におけるデコンプ装置の作用について説明する。
まず、内燃機関18の正常運転状態からその運転が停止した場合には、クランク軸35の回転が燃焼室66内の圧力上昇により圧縮行程の上死点手前で停止する。この時のカム軸64の吸気カム64ａ及び排気カム64ｂ並びにデコンプカム91の位置を図８に示す。
【００５０】
図８に示すように、クランク軸35（図２、３）が停止した後には、燃焼室66内の圧力によりピストン56（図２〜４）が押し下げられ、これに伴いクランク軸35が僅かに逆転する。このとき、図９に示すように、カム軸64も同方向に逆転Ｒし、デコンプカム91もワンウェイクラッチ90の作用により同じく逆転Ｒして、いずれもクランク軸35の回転角の２分の１の角度だけ逆転Ｒする。その結果、デコンプカム91のカム山部93に排気側ロッカーアーム87のカム当接部87ｃが乗り上がり、排気側ロッカーアーム87が揺動して排気バルブ73を作動させ、圧縮行程でありながら排気ポート71の燃焼室66側開口が開放する。このため、燃焼室66内の圧力は下がり、カム軸64は、クランク軸35と共に逆転Ｒを停止し、運転停止状態となる。
【００５１】
図９に示す運転停止状態から、前述したモータ始動機構47又はキック始動機構51により回転するクランク軸35に連動してカム軸64が正転Ｎすると、図１０に示すように、排気カム64ｂが排気側ロッカーアーム87のカムローラ87ａに接近するが、その間、排気側ロッカーアーム87のカム当接部87ｃがデコンプカム91のカム山部93に当接することで、デコンプカム91にはその回転を停止する力が作用しているため、カム軸64の正転Ｎとは無関係にデコンプカム91は静止したままとなる。
【００５２】
図１０に示す状態からさらにカム軸64が正転Ｎし、図１１に示す如く排気カム64ｂに排気側ロッカーアーム87のカムローラ87ａが乗り上げると、カム当接部87ｃがカム山部93から離間してデコンプカム91は全くの非拘束状態となり、ワンウェイクラッチ90の僅かな正転トルクによって正転Ｎ方向へカム軸64と共に連れ回るが、係止突部94が係止部材100に係合することでデコンプカム91の回転がその位置で停止する。
【００５３】
図１１に示す状態からさらにカム軸64が正転し、図１２に示す如く排気カム64ｂが排気側ロッカーアーム87のカムローラ87ａを通過した後には、カム当接部97ｃがデコンプカム91の切り欠き部92に当接した状態、すなわち図８と同様の状態となり、デコンプカム91によるデコンプレッション機能が自動的に解除され、内燃機関18の正常運転状態にスムーズに移行する。
【００５４】
上述の如くカム軸64が１回転する間にクランク軸35は２回転し、これに伴いピストン56がシリンダボア55内を２往復して四つの行程を行う。このとき、図８に示す圧縮行程の上死点近傍となる状態から膨張行程及び排気行程を経由して吸入行程を終了する迄の間は、燃焼室66が大気と連通して燃焼室66内の圧力上昇による内燃機関18の正転抑制力が排除されるので、クランク軸35の正転が円滑にかつ充分に加速され、内燃機関18を確実に始動させることが可能となる。
【００５５】
以上説明したように、上記実施形態の内燃機関18のシリンダヘッド構造は、シリンダ部210がその軸線Ｘを略水平にして配置され、シリンダ部210における吸気ポート70及び排気ポート71を有するシリンダヘッド22に、吸排気バルブ72、73を開閉させるカム軸64が支持される内燃機関18に適用されるものであって、カム軸64の逆転時にのみトルクを伝達し得るワンウェイクラッチ90を内蔵するデコンプカム91が、カム軸64の一側に取り付けられると共に、カム軸64の正転Ｎ時にはデコンプカム61と係合し、デコンプカム91の作動を規制、停止させる係止部材100が、シリンダヘッド22に設けられたカムシャフトホルダ部80Ｒの貫通孔102に取り付けられるものである。
【００５６】
そして、シリンダヘッド22とシリンダブロック21とを締結する締結ボルト60によりシリンダヘッド22に固定され、一対のカムシャフトホルダ部80Ｌ、80Ｒを連結する補強部材89を備え、係止部材100が貫通孔102にその一端からデコンプカム91と係合するように突出して収容され、補強部材89が貫通孔102の他端を塞ぐことで係止部材100が貫通孔102内に保持されている。また、右側カムシャフトホルダ部80Ｒは、カム軸64の外周においてカム軸方向Ｚに延出するオーバハング部101を備え、貫通孔102は、オーバハング部101にカム軸方向Ｚに対して垂直に形成されている。
【００５７】
本実施形態の内燃機関18のシリンダヘッド構造によれば、補強部材89が係止部材100の抜け止めを兼ねるため、抜け止めボルトとその螺合のための雌ねじ加工が不要となり、部品点数と加工工数が低減する。
また、係止部材100収容部となる貫通孔102を、右側カムシャフトホルダ部80Ｒにカム軸方向Ｚに延出するオーバハング部101を備えたうえで一体に設けるので、右側カムシャフトホルダ部80Ｒの強度を高くすることができる。
【００５８】
なお、本発明は上記の実施形態の構成に限られるものではなく、例えば、上記実施形態はカム軸64に設けられたデコンプカム91の場合を述べたが、デコンプカムは正転用、逆転用を限定するものではなく、また、デコンプカムに限らず、可変カムとして一般的に多様な可変カムの場合においても、本発明の車両用内燃機関のシリンダヘッド構造は有効に採用、実施できる。実施形態ではカムシャフトホルダ部80Ｌ、80Ｒがシリンダヘッド22と一体に形成されたものを示したが、カムシャフトホルダ部80Ｌ、80Ｒが部分的にシリンダヘッド22と別体に形成されて、一体に組み付けられるものにおいても適用できる。また、吸排気バルブの少なくとも一方を複数有するエンジンや複数気筒エンジン、あるいは水冷エンジンに適用してもよい。
上記実施形態は本発明の一例であり、自動二輪車に限らず、同様のパワーユニットを搭載する車両、例えば３輪、４輪のバギー車等の様々な車両の車両用内燃機関のシリンダヘッド構造として適用することが可能であることはいうまでもない。
【符号の説明】
【００５９】
１…自動二輪車、２…車体フレーム、11…前輪、15…後輪、17…パワーユニット、18…内燃機関、19…動力伝達装置、20…パワーユニットケース、20Ｌ…左パワーユニットケース、20Ｒ…右パワーユニットケース、21…シリンダブロック、22…シリンダヘッド、35…クランク軸、44…後輪駆動スプロケット、47…モータ始動機構、51…キック始動機構、56…ピストン、60…締結ボルト、64…カム軸、64ａ…吸気カム、64ｂ…排気カム、64ｃ…小径部分、66…燃焼室、72…吸気バルブ、73…排気バルブ、74ａ…当接部、75ａ…当接部、78…潤滑油供給孔、79…オイル溜り、80Ｌ…左側カムシャフトホルダ部、80Ｒ…右側カムシャフトホルダ部、86…吸気側ロッカーアーム、87…排気側ロッカーアーム、87ａ…カムローラ、87ｃ…カム当接部、89…補強部材、89ａ…下辺、90…ワンウェイクラッチ、91…デコンプカム、92…切り欠き部、93…カム山部、94…係止突部、100…係止部材、101…オーバハング部（延出部）、102…貫通孔、103…コイルスプリング、210…シリンダ部
【図１】
2011043132.tif 000003
【図２】
2011043132.tif 000004
【図３】
2011043132.tif 000005
【図４】
2011043132.tif 000006
【図５】
2011043132.tif 000007
【図６】
2011043132.tif 000008
【図７】
2011043132.tif 000009
【図８】
2011043132.tif 000010
【図９】
2011043132.tif 000011
【図１０】
2011043132.tif 000012
【図１１】
2011043132.tif 000013
【図１２】
2011043132.tif 000014